(57)【要約】【課題】座り心地が良いばかりでなく、大人による使用にも十分に堪えるような強度を具えたソファーを提供すること。【解決手段】本発明のソファーは、座面部分Ａと背凭れ部分Ｂとを有し、座面部分Ａと背凭れ部分Ｂとの間に空洞Ｃが生じるように、段ボール製で帯状の吊り部材８０を、弧を描くように張り渡したものである。吊り部材８０がクッション効果をもたらすが、ハンモックのように、荷重が一箇所に集中してかかることがないため、快適な座り心地をもたらす。また、内部には、井桁構造体を組付けることにより、十分な耐荷重強度を有するものにすることができる。【選択図】図１
2007319363.tif 000002
【特許請求の範囲】
【請求項１】
座面部分と背凭れ部分とを有してなるソファーにおいて、
前記座面部分と背凭れ部分との間に空洞が生じるように段ボール製で帯状の吊り部材を弧を描くように張り渡したことを特徴とする、
ソファー。
【請求項２】
前記吊り部材の幅方向端部が内側に折返されている、請求項１のソファー。
【請求項３】
前記吊り部材の表面に、幅方向に複数の凹みが設けられている、請求項１又は２のソファー。
【請求項４】
前記座面部分及び背凭れ部分の内部に井桁構造体を有する、請求項１から３のいずれかのソファー。
【請求項５】
全部が段ボール製の要素から組立てられる、請求項１から４のいずれかのソファー。
【請求項６】
全要素が嵌合により連結され、連結用金具又は接着剤を使用していない、請求項１から５のいずれかのソファー。
【発明の詳細な説明】
【技術分野】
【０００１】
本発明は、吊り部材で荷重を支えるようにしたソファーに関する。
【背景技術】
【０００２】
くつろいだ姿勢で座るための家具として、ソファーがある。
通常使用されているソファーは、その素材の性質上、重量が大きいことから、移動は容易でないばかりか、粗大ごみとして処分する際には環境上の問題を生じさせる。また、コストの点からも、子供の成長に合わせて度々買い替えるようなことは難しい。
そこで、近年、環境への配慮及び買い替えを前提とした低コストの家具への需要増大のため、段ボール等の板紙を利用した椅子が多く作られるようになった。
【０００３】
しかし、従来の板紙等を利用した椅子は、簡単に組立可能なことや持ち運びの便利なことを追求することが多いため、組立自体は容易であるが安定感がなく、強度も幼児が使用できる程度のもので、壊れやすいという欠点があった。
また、すぐに廃棄されることが前提であるため座り心地を余り追求しない等の問題があった。
【特許文献１】特開２００１−１９０３５４号公報
【特許文献２】特開２００５−２１１９９号公報
【発明の開示】
【発明が解決しようとする課題】
【０００４】
そこで、本発明は、座り心地が良いばかりでなく、大人による使用にも十分に堪えるような強度を具えたソファーを提供することを目的とする。
【課題を解決するための手段】
【０００５】
本発明は、座面部分と背凭れ部分とを有してなるソファーにおいて、
前記座面部分と背凭れ部分との間に空洞が生じるように段ボール製で帯状の吊り部材を弧を描くように張り渡したことを特徴とするソファーによって、前記課題を解決した。
【発明の効果】
【０００６】
本発明のソファーは、座面部分と背凭れ部分との間に空洞が生じるように吊り部材を弧を描くように張り渡したものであるから、吊り部材がクッション効果をもたらし、直接硬い座面の上に座らずに済み、また、吊り部材はハンモックに似た働きをするが、段ボール製であるために、繊維製のハンモックのように、荷重が一箇所に集中してかかることがなく、どんな体型のお尻にも良くフィットして、座り心地の良いソファーとなる。
【発明を実施するための最良の形態】
【０００７】
以下、本発明の基本構造である第１実施形態及びそれを応用した第２実施形態について説明する。但し、本発明は、これらの実施形態に限定されるものではない。
【第１実施形態】
【０００８】
本発明の第１実施形態は、座面部分と背凭れ部分に一体的な井桁構造体を具え、それを被覆する外面部分として、サイド部材・座面サイド部材・底面部材・背面部材・正面部材・目隠部材を具え、吊り部材により座り心地を向上させているものである。
また、各部材は差込片又は連結部材を差込孔に挿入することにより、又は切込部の嵌合により固定される。
【０００９】
図１は、本発明の第１実施形態の斜視図、図２は第１実施形態の内部井桁構造体の斜視図、図３は第１実施形態の井桁構造体と外面部分を連結した時点の斜視図、図４及至図１３は各部材の展開図である。
図１において、符号Ａは座面部分、符号Ｂは背凭れ部分、符号Ｃは空洞を、それぞれ示す。
なお、図示しているものは各部材１枚ずつであるが、本発明の第１実施形態では、同一の打抜き部分を複数枚利用しているものとして、井桁部材（ｂ）は１２枚、内部構造体部材は６枚使用されている。
【００１０】
まず、内部構造体部材を組合せる。
図２のように、符号１５で示す井桁部材（ｂ）の６箇所の切込部に６枚の内部構造体部材２０の切込部２１を挿入して嵌合させ、残りの１１枚の井桁部材（ｂ）（符号１５）も内部構造体部材２０の切込部２２及至３２にそれぞれ挿入し嵌合させる。
そして、内部構造体部材２０の切込部３３に符号１０の井桁部材（ａ）の切込部が嵌合するように挿入することにより、図２に示す状態になる。
【００１１】
次に、上記井桁内部構造体を覆う外面部分を組立てる。
まず、右サイド部材４０Ａの線４１Ａ、４２Ａ、４３Ａに沿って谷折にする。底面部材５５に設けられた差込片５６Ａを右サイド部材４０Ａに設けられた差込孔４４Ａに５箇所とも挿入する。
同様にして、左サイド部材４０Ｂも、線４１Ｂ、４２Ｂ、４３Ｂに沿って谷折にし、底面部材５５に設けられた差込片５６Ｂを左サイド部材４０Ｂに設けられた差込孔４４Ｂに５箇所とも挿入する。
その際、サイド部材面４７Ａ及び４７Ｂは外から見えないよう、内側に入れるようにする。
【００１２】
次に、背面部材とサイド部材を固定するために、背面部材６０の面６３及び６４を谷折にしておき、背面部材６０に設けられている差込片６１Ａを右サイド部材４０Ａに設けられている差込孔４５Ａに挿入する。
サイド部材及び背面部材が底面部材と直角になるようにし、背面部材の差込片６１Ｂを左サイド部材４０Ｂの差込孔４５Ｂに挿入し、サイド部材の面４８Ａ及び４８Ｂは外から見えないよう、内側へ入れ込んでおく。
背面部材６０の面６４に設けられた差込片６２を、底面部材５５の下側からソファー内部へ向かって底面部材５５に設けられた背面側差込孔に挿入し、背面部材６０と底面部材５５を固定する。
【００１３】
その次に、正面部材とサイド部材を固定する。
正面部材６５を折り線に合わせて谷折にしておき、面６６を底面部材の下側へ挿入し、サイド部材面４９Ａ及び４９Ｂをソファー内部に折込んだ状態で、正面部材に設けられた左右に３つずつある差込片６８Ａ及び６８Ｂを、サイド部材差込孔４６Ａ及び４６Ｂに挿入する。
正面部材の面６６に設けられた差込片６７を、底面部材５５の下側からソファー内部に向かって、底面部材５５に設けられた正面側差込孔に挿入し、正面部材６５と底面部材５５を固定する。
【００１４】
以下、井桁内部構造体と外面の連結について説明する。
上記の井桁内部構造体の面３６が背面部材６０に、面３７が底面部材５５に、面３８が正面部材６５に接するように挿入する（図３）。
サイド部材５２を、サイド部材４０の背凭れ及び座面の折線５１に沿って、内側へ折り込んでおく。
正面部材６５の上部を座面側に倒し、正面部材の差込片６９Ａ及び６９Ｂをサイド部材面の差込孔５０Ａ及び５０Ｂに挿入し、正面部材の切込部７０を内部構造体部材２０の切込部３４に挿入する。
目隠部材７５の切込部７７を内部構造体部材の切込部３４に嵌合させて面７６を挿入する。目隠部材７５を内部構造体部材２０及びサイド部材４０に合わせて背凭れ部に向かって被せていき、サイド部材４０の座面及び背凭れ部の差込孔に目隠部材の差込片７８を挿入する。
【００１５】
図１１の吊り部材８０は、段ボール製で帯状をなし、図１に示すように、座面部分Ａと背凭れ部分Ｂの間に空洞Ｃが生じるように、且つ、弧を描くように張り渡される。線８１で山折に、線８４で山折にする。吊り部材面８２を背面部材６０に接するようにし、背面部材６０の差込孔６５に吊り部材８０の差込片８３を挿入する。
吊り部材面８５の切込部８６を内部構造体部材２０の切込部３４に挿入する。吊り部材８０の中央部分の幅方向に設けた凹みに沿って少し谷折にしてカーブを作ることで、座り心地を良くすることができる（図１）。
【第２実施形態】
【００１６】
本発明の第２実施形態は、第１実施形態と同様座面部分と背凭れ部分に井桁構造体を具え、吊り部材で座り心地を向上させているものであるが、座面及び背凭れ部分を支える外面部分を三角形及び台形を組合せた形状にしたことから強度がより大きくされ、座面部分及び背凭れ部分に丸みをもたせたことから吊り部材とともに快適な座り心地をもたらす。また、曲面を多く採用し、且つ、目隠等を付けることにより、デザイン性を高めたものである。
【００１７】
図１２は本発明の第２実施形態の斜視図、図１３は第２実施形態の背面部材を取付けた時点の斜視図、図１４は背面部材と正面部材を連結した時点の斜視図、図１５は背凭れ及び座面の内部構造体の斜視図、図１６は井桁を組み終えた時点の斜視図、図１７及至図３４は各部材の展開図又は平面図である。
図１２において、符号Ａは座面部分、符号Ｂは背凭れ部分、符号Ｃは空洞を、それぞれ示す。
なお、本発明の第２実施形態では、図示した部材を複数枚利用しているものとして、座面サイド目隠は２枚、背凭れサイド目隠は２枚、第１連結部材は３０枚、第２連結部材は２枚、第３連結部材は２６枚、座面内部構造体部材は５枚、背凭れ内部構造体部材は５枚、座面用井桁部材（ａ）・（ｂ）・（ｃ）・（ｅ）は各２枚、（ｄ）は６枚、背凭れ用井桁部材（ａ）は６枚、（ｂ）及至（ｄ）は各２枚ずつ使用されている。
【００１８】
以下、ベース部材と背凭れサイド部材の連結方法について説明する。
図１７、１８を参照して、ベース部材１００を線１１０ａで谷折にした１１０Ａと、背凭れサイド部材１５０Ａを線１６０ａで谷折にした１６０Ａとを、谷折にした外側の面同士が接するように配置する。第１連結部材６４０の先端部６４１をベース部材１１０Ａの差込孔１１１Ａから背凭れサイド部材１６０Ａの差込孔１６１Ａへと挿入する。その際、１１１Ａに引掛かった第１連結部材６４０の後端部６４２は１１２Ａ側へと折返しておく。その後、１６１Ａから突出した連結部材先端部６４１を折返して１６２Ａに挿入して１１２Ａ及び連結部材後端部６４２の差込孔６４３に通して固定する。同様にして、他の４箇所の１１０Ａ及び１６０Ａの差込孔も固定する。
【００１９】
ベース部材１１０Ｂ及び背凭れサイド部材１６０Ｂについても、ベース部材１００を線１１０ｂで谷折にした１１０Ｂと、背凭れサイド部材１５０Ｂを線１６０ｂで谷折にした１６０Ｂとを、谷折にした外側の面同士が接するように配置する。第１連結部材６４０の先端部６４１をベース部材１１０Ｂの差込孔１１１Ｂから背凭れサイド部材１６０Ｂの差込孔１６１Ｂへと挿入する。その際、１１１Ｂに引掛かった第１連結部材６４０の後端部６４２は１１２Ｂ側へと折返しておく。その後、１６１Ｂから突出した連結部材先端部６４１を折返して１６２Ｂに挿入して１１２Ｂ及び連結部材後端部６４２の差込孔６４３に通して固定する。同様にして、他の４箇所の１１０Ｂ及び１６０Ｂの差込孔も固定する。
【００２０】
以下、ベース部材と座面サイド部材の連結方法について説明する。
ベース部材１００を線１２０ａで谷折にした１２０Ａと座面サイド部材を線２１０ａで谷折にした２１０Ａとを、谷折にした外側の面同士が接するように配置する。第１連結部材６４０の先端部６４１をベース部材１２０Ａの差込孔１２１Ａから座面サイド部材２１０Ａの差込孔２１１Ａへと挿入する。その際、１２１Ａに引掛かった第１連結部材６４０の後端部６４２は１２２Ａ側へと折返しておく。その後、２１１Ａから突出した連結部材先端部６４１を折返して２１２Ａに挿入して１２２Ａ及び連結部材後端部６４２の差込孔６４３に通して固定する。同様にして、他の４箇所の１２０Ａ及び２１０Ａの差込孔も固定する。
【００２１】
次に、ベース部材１００を線１２０ｂで谷折にした１２０Ｂと座面サイド部材を線２１０ｂで谷折にした２１０Ｂとを、谷折にした外側の面同士が接するように配置する。第１連結部材６４０の先端部６４１をベース部材１２０Ｂの差込孔１２１Ｂから座面サイド部材２１０Ｂの差込孔２１１Ｂへと挿入する。その際、１２１Ｂに引掛かった第１連結部材６４０の後端部６４２は１２２Ｂ側へと折返しておく。その後、２１１Ｂから突出した連結部材先端部６４１を折返して２１２Ｂに挿入して１２２Ｂ及び連結部材後端部６４２の差込孔６４３に通して固定する。同様にして、他の４箇所の１２０Ｂ及び２１０Ｂの差込孔も固定する。
【００２２】
上記のベース部材及びサイド部材の組立体を、第１連結部材を使用して立体的にする。
まず、ベース部材１０４及び１０５をそれぞれ谷折にしておく。ベース部材１１０Ａの差込孔１１３Ａにベース部材側から第２連結部材６６０を挿入し、差込孔１１３Ａから突出した差込片６６１を折返して、突出した差込片に近い方に設けられた差込孔６６２に通す。
【００２３】
同じように、ベース部材１２０Ａの差込孔１２３Ａにも、ベース部材側からもう一つの第２連結部材６６０を差込み、差込孔１２３Ａから突出した差込片６６１を折返して、折返した差込片６６１に近い方に設けられた差込孔６６２に通す。
【００２４】
その後、ベース部材１００のサイド面１０２及び１０３を１０１側へと向かい合わせて、差込孔１１３Ａに固定した差込片６６１の反対側の差込片６６１を、ベース部材側から差込孔１１３Ｂに挿入し、差込孔１１３Ｂから突出した連結部材６６１を折返して、第２連結部材６６０の差込孔６６２に通して固定する。
【００２５】
同様に、差込孔１２３Ａに固定した差込片６６１の反対側の差込片６６１を、ベース部材１０１側から差込孔１２３Ｂに挿入し、差込孔１２３Ｂから突出した差込片６６１を折返して、連結部材の差込孔６６２に通して固定する。
【００２６】
背面部材を上記組立体に取付ける方法を以下に説明する。
まず、背面部材２６０を残したまま、背面部材２７０を線２５１で面２８０側へ谷折にする。
組立体のベース部材１０１を底面にした状態にし、ベース部材１０４の方向からベース部材の下に背面部材２６０を線２５１まで入れる。
線２５１まで入れた後、背面部材２７０を背凭れサイド部材１６０Ａ及び１６０Ｂが固定されている方へ折返し、背面部材２８０は垂直にする。
【００２７】
背凭れサイド部材１７０Ａ及び１７０Ｂをそれぞれ線１７０ａ及び１７０ｂで背面部材側に折り、１７０Ａの差込片１７１Ａを、それぞれ対応する背面部材２８０に設けられている差込孔２８３Ａに挿入し、１７０Ｂの差込片１７１Ｂも、それぞれ対応する背面部材２８０に設けられている差込孔２８３Ｂに挿入する。  なお、背凭れサイド部材１７３Ａ及び１７３Ｂは、ソファー内部側に折込んでおく。
【００２８】
背面部材２８０の差込孔２８３Ａ及び２８３Ｂからソファー内部側へ突出した差込片１７１Ａ及び１７１Ｂの差込孔１７２Ａ及び１７２Ｂの１２箇所すべてに第３連結部材６８０の先端部６８１を外面側へ向けて挿入する。
【００２９】
背面部材２６０の差込片２６１を、ベース部材１０１の差込孔１３１に挿入し、差込孔１３１からソファー内部側へと突出した差込片２６１の差込孔２６２に、ベース部材１０４側から１０２，１０３，１０５側へと第３連結部材６８０の先端部６８１を挿入し固定することにより、図１３に示す状態になる。
【００３０】
正面部材をベース部材及び座面サイド部材に連結する方法について、以下、説明する。
正面部材３１０を残したまま、正面部材３３０を線３０１で面３４０側へ谷折にする。
上記組立体の下にベース部材面１０５の方向から、正面部材３１０をベース部材の下に線３０１まで入れる。
線３０１まで入れた後、正面部材３３０を座面サイド部材２１０Ａ及び２１０Ｂが固定されている方へ倒し、正面部材３４０は垂直にする。
【００３１】
座面サイド部材２２０Ａ及び２２０Ｂをそれぞれ線２２０ａ及び２２０ｂで正面部材側に折り、２２０Ａの４つの差込片２２１Ａを正面部材３４０に設けられている４つの対応する差込孔３４３Ａにそれぞれ挿入し、２２０Ｂの４つの差込片２２１Ｂも正面部材３４０に設けられている４つの対応する差込孔３４３Ｂにそれぞれ挿入する。
なお、座面サイド部材２２３Ａ及び２２３Ｂは、ソファー内部側に折込んでおく。
【００３２】
正面部材３４０の差込孔３４３Ａ及び３４３Ｂからソファー内部側へ突出した差込片２２１Ａ及び２２１Ｂにある、差込孔２２２Ａ及び２２２Ｂの８箇所すべてに第３連結部材６８０を座面サイド部材２０５Ａ及び２０５Ｂに向かって挿入し、正面部材３４０に座面サイド部材２２０を固定する。
【００３３】
正面部材３１０に設けられた差込片３１１を、ベース部材面１０１に設けられた差込孔１３２に挿入し、差込孔１３２から突出した差込片３１１に設けられている差込孔３１２に、ベース部材１０４側から１０２，１０３，１０５側へと第３連結部材６８０を挿入し固定する。
【００３４】
以下、背面部材と正面部材の連結方法について説明する。
背凭れサイド部材１６０Ａ及び１６０Ｂの差込片１６３Ａ及び１６３Ｂを上方向へ垂直に折曲げ、背面部材２７０の差込孔２７４Ａ及び２７４Ｂに、差込片１６３Ａ及び１６３Ｂを挿入する。
【００３５】
次に、座面サイド部材に２１０Ａ及び２１０Ｂの差込片２１３Ａ及び２１３Ｂを上方向へ垂直に折曲げ、正面部材３３０を座面サイド部材２１０Ａ及び２１０Ｂの上に重ね、正面部材３３０に設けられた差込孔３３２Ａ及び３３２Ｂに、座面サイド部材の差込片２１３Ａ及び２１３Ｂを挿入する。
【００３６】
最後に、正面部材３２０を背面部材２７０側に倒し、正面部材３２０に設けられた差込片３２１を背面部材２７０の差込孔２７３に挿入する。
正面部材及び背面部材の連結が終わった時点の本実施形態のソファーは、図１４の状態となる。
【００３７】
次に、背凭れ及び座面の内部構造体部材の組付方法を説明する。
図３２の背凭れ用補強部材７６０の面７６５を谷折にし、面７６５の５つの切込部７７１に、５枚の背凭れ内部構造体部材７４０に設けられた切込部７４２をそれぞれ挿入して、背凭れ内部構造体面７４１が背凭れ用補強部材面７６６と接するようにする。
背凭れ用補強部材面７６７を背凭れ内部構造体部材面７５７に接するように倒し、背凭れ用補強部材面７６８を背凭れ内部構造体部材側へ折って、背凭れ内部構造体部材７４０の切込部７５６に背凭れ用補強部材面７６８の切込部７７２を挿入する。
【００３８】
同様に、座面用補強部材７２０の面７２８も谷折にし、面７２８の５つの切込部７３２に、５枚の座面内部構造体部材７２０に設けられた切込部７０２をそれぞれ挿入して、座面内部構造体面７０１が座面用補強部材面７２７と接するようにする。
座面用補強部材面７２６を座面内部構造体部材面７１７に接するように倒し、座面用補強部材面７２５を座面内部構造体部材側へ折って、座面内部構造体部材７００の切込部７１６に座面用補強部材面７２５の切込部７３１を挿入する。
【００３９】
目隠兼補強部材３５０を、線３５１で谷折、線３５２で山折、線３５３で谷折にする。
目隠兼補強部材面３９０に設けられた５箇所の切込部３９１を、座面用補強部材の切込部７３１が既に挿入されている、５枚の座面内部構造体部材の切込部７１６にそれぞれ挿入する。
以上により、背凭れ及び座面の内部構造体部材の組付状態は図１５に示すものになる。
【００４０】
次に、上述した背凭れ及び座面の内部構造体部材の組付けされた組立部分を、ベース部材等が組付けされた組立体と組合わせ、背凭れ及び座面を組立てる方法について述べる。
【００４１】
上記背凭れ内部構造体部材の切込部７４３を上にして、背凭れ用補強部材面７６６を背面部材面２８４に、背凭れ内部構造体面７６７が正面部材面３２０及び背面部材面２７４に接するように、接合体の内部に挿入する。
背面部材面２８２を接合体内部側へと折り、面２８２の切込部２８５が背凭れ内部構造体部材７４０の切込部７４２と直角に嵌合するようにする。
【００４２】
座面内部構造体部材切込部７０３を正面側、７１５を背面側にし、座面用補強部材面７２７が正面部材面３４０と、座面用補強部材面７２６が正面部材面３３０と接するように接合体内部と組合せる。
正面部材面３４２を接合体内部側へと折り、面３４２に設けられた切込部３４５が座面内部構造体部材７００に設けられた切込部７０２と嵌合するようにする。
【００４３】
目隠兼補強部材３５０を背面部材２５０及び背凭れ内部構造体部材７４０に沿って設置し、目隠兼補強部材３５０の切込部３６１を背凭れ内部構造体部材７４０の切込部７５５に嵌合するように挿入する。
背凭れサイド部材１５０の１８０Ａ及び１８０Ｂに設けられている差込片１８１Ａ及び１８１Ｂを目隠兼補強部材の差込孔３７１Ａ及び３７１Ｂに挿入して固定する。
【００４４】
図３３に示す６枚の座面用井桁部材（ｄ）８１０の切込部８１１を図１９の座面内部構造体部材７００の切込部７０６，７０７，７０８，７１０，７１１，７１２に挿入する。２枚の座面用井桁部材（ｃ）８００の切込部８０１を座面内部構造体部材７００の切込部７０５及び７１３に挿入する。２枚の座面用井桁部材（ｂ）７９０の切込部７９１を座面内部構造体部材７００の切込部７０４及び７１４に挿入する。最後に、２枚の座面用井桁部材（ａ）７８０の切込部７８１を座面内部構造体部材７００の切込部７０３及び７１５に挿入する。
【００４５】
６枚の背凭れ用井桁部材（ａ）８３０の切込部８３１を背凭れ内部構造体部材７４０の切込部７４６，７４７，７４８，７５０，７５１，７５２にそれぞれ挿入する。２枚の背凭れ用井桁部材（ｂ）８４０の切込部８４１を背凭れ内部構造体部材７４０の切込部７４５及び７５３に挿入する。２枚の背凭れ用井桁部材（ｃ）８５０の切込部８５１を背凭れ内部構造体部材７４３及び７５４に挿入する。
上記作業により、座面部及び背凭れ部の井桁構造体が出来上がる（図１６）。
【００４６】
以下、座面カバー及び背凭れカバー・吊り部材の設置について説明する。
図２３の後座面カバー４５０を座面内部構造体部材７００の背面側から、背凭れサイド部材１５０及びベース部材１００をはさむように挿入する。
前座面カバー４００も座面内部構造体部材７００の下に座面サイド部材２００及びベース部材１００を挟むように配置する。
【００４７】
図２３の前座面カバー４００の突出部４１０Ａ及び後座面カバー４５０の突出部４６０Ａを連結するため、突出部先端を座面内部構造体部材側へ向けて合わせた状態で、突出部４１０Ａ差込孔４１１に第１連結部材６４０を先端部６４１から通して突出部４６０Ａ差込孔４６１Ａへ通す。なお、第１連結部材６４０の後端部６４３は、差込孔４１２側へ折返しておく。そして、差込孔４６１Ａから突出した第１連結部材６４０の先端部６４１を折返して突出部４６０Ａの差込孔４６２Ａに通し、突出部４１０Ａの差込孔４１２Ａ及び第１連結部材６４０の差込孔６４２に挿入し固定する。
同様に、前座面カバー４１０Ｂ及び後座面カバーＢも同様の方法で固定する。
【００４８】
前座面カバー部４２０の切込部５箇所を、座面内部構造体部材５枚にそれぞれ設けられている切込部７０２に嵌合するようにして挿入する。前座面カバー４００を座面内部構造体の上部を被覆するように背面側へ倒して、前座面カバー部４３０の切込部５箇所を、座面内部構造体部材５枚に設けられた切込部７０９に挿入する。
同様に、後座面カバー４５０も座面内部構造体の上部を被覆するように正面側へ倒して、後座面カバー部４７０の切込部５箇所を、座面内部構造体部材７００の切込部７０９に挿入する。
【００４９】
座面用井桁部材（ｅ）８２０の切込部を座面用井桁部材（ａ）の切込部７８２、座面用井桁部材（ｂ）の切込部７９２、座面用井桁部材（ｃ）の切込部８０２、座面用井桁部材（ｄ）の切込部８１２に、両サイドとも挿入する。
【００５０】
以下、背凭れ部分の組立方法について説明する。
背凭れカバー部５１０を谷折にし、吊り部材５５０を谷折にした部分と向かい合うように配置し、第１連結部材６４０を吊り部材５５０の差込孔５６１から背凭れカバー部５１０の差込孔５１１へと挿入する。その際、差込孔５６１に引掛かった第１連結部材６４０の後端部６４２は５６２側へと折返しておく。その後、差込孔５１１から突出した連結部材先端部６４１を折返して差込孔５１２に挿入し、差込孔５６２及び連結部材後端部６４２の差込孔６４３に通して固定する。
同様にして、背凭れカバー部５１０及び吊り部材５５０に設けられた全８箇所の差込孔を固定する。
【００５１】
背凭れカバー部５４０を正面側にした状態で、背凭れカバー５００の空間５０１を、背凭れ内部構造体部材及び背凭れサイド部材の上部に通し、背凭れカバー部５２５の切込部５２６を背凭れ内部構造体部材７４０の切込部７５５に嵌合するように挿入する。
背凭れカバー部５３０の切込部５３１も背凭れ内部構造体部材７４０の切込部７４９に嵌合するように挿入する。
【００５２】
背凭れカバー部５２０の切込部５２１も同様に、背凭れ内部構造体部材７４０の切込部７４２に嵌合するように挿入し、背凭れカバー部５１０側及び吊り部材を正面側へ被せ、背凭れカバー部５１０及び吊り部材５６０を背凭れ内部構造体部材７４０の切込部７４９に嵌合するように挿入する。
符号８６０の背凭れ用井桁部材（ｄ）の切込部８６１を背凭れ用井桁部材（ａ）及至（ｃ）の切込部８３２，８４２，８５２に挿入し、両サイドとも固定する。
【００５３】
吊り部材５５０を補強するために、吊り部材５５０の羽部５７０及び５８０を外側から見えないように座面側へ折返しておく。吊り部材５５０の切込部５９１を座面内部構造体部材の切込部７０９に挿入し、吊り部材５５０を固定する。第２実施形態のソファーの場合も、図１２に示すように、吊り部材５５０は、ハンモックのように、弧を描いて設置され、丸みの部分でお尻を受ける。
【００５４】
構造自体は上述したもので問題ないが、座面及び背凭れ部の井桁構造体が外側から見えてしまうため、本実施形態では目隠を設置した。以下では、その設置方法について説明する。
【００５５】
図２６の座面サイド目隠６００を線６０１で山折にし、外側に目隠部６１０が見えるようにして、座面カバーの両サイドに嵌込む。座面サイド目隠を固定するため、前座面カバー部４４０及び後座面カバー部４８０を線４４１及び４８１で折返し、座面サイド目隠６００に設けられた差込穴６１１に挿入する。
【００５６】
同様に、背凭れサイド目隠６２０を線６２１で山折にし、外側に目隠部６３０が見えるようにして、背凭れカバーの両サイドに嵌込む。背凭れサイド目隠を固定するため、背凭れカバー部５４０を線５４１で折返し、背凭れサイド目隠６２０に設けられた差込穴６３１に挿入する。
以上により、第２実施形態のソファーが完成する（図１２）。
【００５７】
以上のように、本発明のソファーは、ハンモックのように、吊り部材を設けることで、快適な座り心地を実現し、さらに、座面部分及び背凭れ部分の内部に井桁構造体を有すること、内部構造体及び荷重のかかる部分については三角形及び台形を基本とした形にすること、金属製ボルト及び接着剤を使用しないこと、さらに、十分な耐荷重強度をも有する家具としてのソファーを提供することを可能にした。
なお、言うまでもないが、各部材の数等詳細な点については、図示したものに限定されないのは当然である。
【図面の簡単な説明】
【００５８】
【図１】本発明の第１実施形態のソファーの斜視図。
【図２】第１実施形態の内部井桁構造体の斜視図。
【図３】第１実施形態の井桁構造体と外面部分を連結した時点の斜視図。
【図４】（ａ）と（ｂ）は、第１実施形態の２種類の井桁部材の平面図。
【図５】第１実施形態の内部構造体部材の平面図。
【図６】（ａ）と（ｂ）は、第１実施形態の左右のサイド部材の展開図。
【図７】第１実施形態の底面部材の展開図。
【図８】第１実施形態の背面部材の展開図。
【図９】第１実施形態の正面部材の展開図。
【図１０】第１実施形態の目隠部材の展開図。
【図１１】第１実施形態の吊り部材の展開図。
【図１２】本発明の第２実施形態のソファーの斜視図。
【図１３】第２実施形態の背面部材を取付けた時点の斜視図。
【図１４】第２実施形態の背面部材と正面部材を連結した時点の斜視図。
【図１５】（ａ）と（ｂ）は、第２実施形態の背凭れと座面の内部構造体の斜視図。
【図１６】第２実施形態の井桁を組み終えた時点の斜視図。
【図１７】第２実施形態のベース部材の展開図。
【図１８】第２実施形態の背凭れサイド部材の展開図。
【図１９】第２実施形態の左右の座面サイド部材の展開図。
【図２０】第２実施形態の背面部材の展開図。
【図２１】第２実施形態の正面部材の展開図。
【図２２】第２実施形態の目隠兼補強部材の展開図。
【図２３】（ａ）と（ｂ）は、第２実施形態の座面カバーの展開図。
【図２４】第２実施形態の背凭れカバーの展開図。
【図２５】第２実施形態の吊り部材の展開図。
【図２６】第２実施形態の座面サイド目隠の展開図。
【図２７】第２実施形態の背凭れサイド目隠の展開図。
【図２８】（ａ）と（ｂ）と（ｃ）は、第２実施形態の３種類の連結部材の平面図。
【図２９】第２実施形態の座面内部構造体部材の平面図。
【図３０】第２実施形態の座面用補強部材の展開図。
【図３１】第２実施形態の背凭れ内部構造体部材の平面図。
【図３２】第２実施形態の背凭れ用補強部材の展開図。
【図３３】（ａ）乃至（ｅ）は、第２実施形態の５種類の座面用井桁部材の平面図。
【図３４】（ａ）乃至（ｄ）は、第２実施形態の４種類の背凭れ用井桁部材の平面図。
【符号の説明】
【００５９】
Ａ    座面部材
Ｂ    背凭れ部材
Ｃ    空洞
１０    井桁部材（ａ）
１５    井桁部材（ｂ）
２０    内部構造体部材
８０    吊り部材
５５０  吊り部材
【図１】
2007319363.tif 000003
【図２】
2007319363.tif 000004
【図３】
2007319363.tif 000005
【図４】
2007319363.tif 000006
【図５】
2007319363.tif 000007
【図６】
2007319363.tif 000008
【図７】
2007319363.tif 000009
【図８】
2007319363.tif 000010
【図９】
2007319363.tif 000011
【図１０】
2007319363.tif 000012
【図１１】
2007319363.tif 000013
【図１２】
2007319363.tif 000014
【図１３】
2007319363.tif 000015
【図１４】
2007319363.tif 000016
【図１５】
2007319363.tif 000017
【図１６】
2007319363.tif 000018
【図１７】
2007319363.tif 000019
【図１８】
2007319363.tif 000020
【図１９】
2007319363.tif 000021
【図２０】
2007319363.tif 000022
【図２１】
2007319363.tif 000023
【図２２】
2007319363.tif 000024
【図２３】
2007319363.tif 000025
【図２４】
2007319363.tif 000026
【図２５】
2007319363.tif 000027
【図２６】
2007319363.tif 000028
【図２７】
2007319363.tif 000029
【図２８】
2007319363.tif 000030
【図２９】
2007319363.tif 000031
【図３０】
2007319363.tif 000032
【図３１】
2007319363.tif 000033
【図３２】
2007319363.tif 000034
【図３３】
2007319363.tif 000035
【図３４】
2007319363.tif 000036